(57)【特許請求の範囲】
【請求項１】
支柱等の被取付体に設けた填め込み孔等に填め込み係止する突起物等からなるファスナー突起部と、係止を安定させるための空間を形成する突出部とを裏面に設けた強靭なベースと、
裏面に多数のプリズム凸凹を形成してなる、表面が略平坦な反射片と、
前記ベースの表面に、前記反射片を複数枚密着するように貼着・並設することにより形成される円形状または多角形状の光反射面と、
以上のごとく構成されてなる光反射体。
【請求項２】
前記ベースを湾曲形状とし、複数枚の上記反射片を密着するように貼着してなる光反射面が、湾曲した多角形状の弧反射面として形成されることを特徴とする請求項１記載の光反射体。
【請求項３】
前記ベースを、表面が平坦な面から形成される多角形面ベースとし、複数枚の前記反射片の平らな裏部全面が、前記多角形面ベースの各面の平部分に、強固に固着してなることを特徴する請求項１又は２記載の光反射面を有する光反射体。
【請求項４】
前記ベースの裏側に、支柱等に設けた填め込み孔等に抜けないように填め込み係止するファスナー突起部と、支柱等と該ベースの間に空間を形成するための突出部を設け、
支柱等に設けた該ベース取付面に当接する、上記ファスナー突起部と突出部の高さの差によって、該ベースを取付面に押し付ける際にもたらされる反力により係止されてなる請求項１、２又は３記載の光反射体。
【請求項５】
前記ファスナー突起部が、１または複数箇所に設けられた突起部であり、前記突出部が１または複数箇所に設けられた突起形状であることを特徴とする請求項４記載の光反射体。
【請求項６】
前記ファスナー突起部が前記ベースの裏面中央部に設けられ、前記突出部がその左右両端部に設けられていることを特徴とする請求項４または５記載の光反射体。
【請求項７】
前記ファスナー突起部が前記ベースの裏面の左右両端部に設けられ、前記突出部がその中央部に設けられていることを特徴とする請求項４または５記載の光反射体。
【請求項８】
前記ベースが硬質合成樹脂製部材であることを特徴とする請求項１、２、３、４、５、６又は７記載の光反射体。
【請求項９】
前記ベースが、ゴム製部材や高弾性合成樹製部材等の弾性部材からなることを特徴とする請求項１、２、３、４、５、６又は７記載の光反射体。
【請求項１０】
支柱本体と、
この支柱本体側部の適宜な部位に、適宜な上下幅と左右幅をとって凹み形成された光反射体固定部と、
この光反射体固定部にファスナー突起部填め込み孔を設け、ファスナー突起部を填め込み係止することにより請求項１、２、３、４、５、７、８、又は９記載の光反射体を強固に係止固着して形成された、多角形弧光反射面と、
以上のごとく構成されてなる反射体付支柱。
【請求項１１】
光反射体固定部が支柱等の全周にわたって凹み形成され、該光反射体固定部に前記光反射体を強固に係止固着して、多角形全周光反射面を形成することを特徴とする請求項１０記載の反射体付支柱。
【請求項１２】
前記光反射体固定部に、１または複数の所定の箇所に穿設された、填め込み孔や凸顎やネジ穴などからなるファスナー係止部を設け、該ファスナー係止部に、顎付き突起等からなる前記ファスナー突起部を填め込んで、抜けないように固定することを特徴とする請求項１０又は１１記載の反射体付支柱。
【請求項１３】
前記支柱本体が円柱形状または多角柱形状であり、前記光反射体固定部が該円柱形状または多角柱形状支柱本体に形成された、多角形状面のうちの１または複数面に設けられ、該光反射体固定部に前記光反射体が固定していることを特徴とする請求項１０、１１、又は１２記載の反射体付支柱。
【発明の詳細な説明】
【０００１】
【発明の属する技術分野】
本発明はポール型の車止めなどに適した光を反射する反射体及び反射体付支柱に係り、詳しくは裏面にプリズム凸凹を多数形成してなる反射片を用いた光反射体及び反射体付支柱に関する。
【０００２】
【従来技術】
従来技術として、実公昭５０−４５２１号、特開平５−３１１６１９号、実登３０２１０９８号、意登８６４５４８号、意登８６４５４８号の類似１が開示されている。
【０００３】
【発明が解決しようとする課題】
支柱からなる車止めの光反射体は、適宜な幅を持った円形の多角形全周光反射面であることが、どのような角度から車のライト光が当たっても、運転者に常に同じ反射光量による視認を得られるので理想的である。
この理想的な全円周光反射面を有する車止め等を実現するために、上述したような従来技術が開発されている。
実公昭５０−４５２１号の「視線誘導ポール」の考案は、上部に設けた反射片を挟むよう２本の反射テープを貼着したものである。
これは、反射テープに人が触れたりして汚れて反射能力が低下するとか、剥がれやすいもので、耐候性、耐久性に問題を持つものであった。
特開平５−３１１６１９号の「道路用視線誘導標」の発明は、一本の断面が長方形の四角形支柱の対抗する両幅広面に、裏側にプリズム凸凹を形成して半楕円形状の楕円弧からなる反射体を外側から保持片で保持したものである。
これは、プリズム凸凹を裏側に形成してなる円弧形状の反射体が、プリズム部分の向きなど製造が難しくまたそれのみに使用するものであるので少量生産となり、大変高価なものとなるという問題を持つものであった。
また、反射面が楕円形であるため自動車が移動するにしたがって、小さい入射角において十分な反射光量を保持することができず、運転者に視認される反射光量が不自然に変化するので、幻覚、錯覚、勘違いなどの精神状態を誘発する恐れのあるものである。また、保持片の部分は反射がないので大きなとぎれ部分のある不完全周面を形成するので、保持片を真正面にした場合には十分な反射光量が得られないなどの問題を持つものであった。
実登３０２１０９８号の「車止め」の考案は、円柱状の支柱の上部側部に全周にわたる溝を設け、その溝に半円形の蓄光部材を２個向かい合わせて填め込んだものである。
蓄光部材は、昼間の太陽光線等を蓄光しておいて、夜間それを放出発光するものであるが、明るさが十分でなく天気の具合で蓄光量にむらが生ず、自動車のライト光が当たっても反射が得られる訳ではないので、車中からは認視し難いものであった。また、汚れやすく剥がれやすいものでもある。
また、仮に蓄光部材をプリズム凸凹を裏側に形成してなる円弧形状の反射体にした場合には、上述したようにコスト高な製品となるものである。
意登８６４５４８号、意登８６４５４８号の類似１の「道路用ガードポール」の意匠は、ポール上部に円筒形（おそらく、半円筒形の反射体を張り合わせたもの。）の反射体を設けてなるものであるが、これも上述したようにコスト高な製品となるものである。
【０００４】
本発明は以上のような従来技術の持つ問題点に鑑みてなされたものであって、その目的は、安価で高強度の光反射体及び反射体付支柱の提供、安価で高強度で交換が容易な光反射体及び反射体付支柱の提供、安価で高強度で広範囲な入射角の変化と小さい観測角において常に十分な反射光量を保持した全円周反射体と遜色ない光学的性質を有する光反射体及び反射体付支柱を提供するにある。
【０００５】
【課題を解決するための手段】
上述した目的を達成するために、本発明は次ぎに述べるような構成となっている。
＜請求項１記載の発明＞
本発明の光反射体は、支柱等の被取付体に設けた填め込み孔等に填め込み係止する突起物等からなるファスナー突起部と、係止を安定させるための空間を形成する突出部とを裏面に設けた強靭なベースと、裏面に多数のプリズム凸凹を形成してなる、表面が略平坦な反射片と、前記ベースの表面に、前記反射片を複数枚密着するように貼着・並設することにより形成される円形状または多角形状の光反射面とから構成されている。
「ベース」とは、基板、基材、基礎部材等の意味である。
「光反射面」の形状は、円形状、三角形状、四角形状等の多角形状が含まれ、矩形、長方形等ももちろん含まれる。
「密着するように貼着」とは、反射片相互を、隙間無くピッタリと貼りつける意味である。
【０００６】
＜請求項２記載の発明＞
請求項１記載の発明のベースを湾曲形状とし、複数枚の上記反射片を密着するように貼着してなる光反射面が、湾曲した多角形状の弧反射面として形成されることを特徴とする
「湾曲した多角形状の弧反射面」とは、例えば円柱に近い多角柱の表面の一部分を切りとった場合の、円弧に近い多角形状の弧を形成する各面を、反射面としたという意味である。
【０００７】
＜請求項３記載の発明＞
請求項１又は２記載の発明の前記ベースを、表面が平坦な面から形成される多角形面ベースとし、複数枚の前記反射片の平らな裏部全面が、前記多角形面ベースの各面の平部分に、強固に固着してなることを特徴する。
「多角形面ベース」とは、湾曲した円弧状のベースの表面を、平らな複数の面から形成して、円弧に近い多角形状の弧としたベースをいう。
【０００８】
＜請求項４記載の発明＞
請求項１、２又は３記載の発明を構成する前記ベースの裏側に、支柱等に設けた填め込み孔等に抜けないように填め込み係止するファスナー突起部と、支柱等と該ベースの間に空間を形成するための突出部を設け、支柱等に設けた該ベース取付面に当接する上記ファスナー突起部と突出部の高さの差によって、該ベースを取付面に押し付ける際にもたらされる反力により係止されてなることを特徴とする。
すなわち、前記ベースの裏側に設けた突出部の抵抗を排して、該ベースを押し反らして、前記ファスナー突起部を前記填め込み孔に挿入係止することにより、前記ベースが支柱側に反り気味に強く固定され、前記突出部が支柱等に押しつけられ続けて、前記支柱等へ前記ベースが強固に固定されるものである。
「突出部」には、ベース裏側のサイド側全体を突出して形成したものや、一部のみを突出させて形成したものが含まれる。
【０００９】
＜請求項５記載の発明＞
請求項４記載の発明の前記ファスナー突起部が、１または複数箇所に設けられた突起部であり、前記突出部が１または複数箇所に設けられた突起形状であることを特徴とする。
すなわち、突起部及び突出部の個数は、限定されない趣旨である。
【００１０】
＜請求項６記載の発明＞
請求項４または５記載の前記ファスナー突起部が前記ベースの裏面中央部に設けられ、前記突出部がその左右両端部に設けられていることを特徴とする。
＜請求項７記載の発明＞
請求項４または５記載の前記ファスナー突起部が、上記請求項６記載の発明とは逆に、前記ベースの裏面の左右両端部に設けられ、前記突出部がその中央部に設けられていることを特徴とする。
【００１１】
＜請求項８記載の発明＞
請求項１、２、３、４、５、６又は７記載の前記ベースが硬質合成樹脂製部材であることを特徴とする。
＜請求項９記載の発明＞
請求項１、２、３、４、５、６、又は７記載の発明の前記ベースが、ゴム製部材や高弾性合成樹製部材等の弾性部材からなることを特徴とする。
【００１２】
＜請求項１０記載の発明＞
本発明の反射体付支柱は、支柱本体と、この支柱本体側部の適宜な部位に、適宜な上下幅と左右幅をとって凹み形成された光反射体固定部と、この光反射体固定部にファスナー突起部填め込み孔を設け、ファスナー突起部を填め込み係止することにより請求項１、２、３、４、５、７、８、又は９記載の光反射体を強固に係止固着して形成された、多角形弧光反射面とから構成されている。
「多角形弧」とは、円筒形に近い多角形状の筒を構成するものの、一構成部分（弧）をいう。すなわち、多角形弧がいくつか並べられて、多角筒となる。
本「多角形弧」は、支柱本体の中間位置に形成される。
【００１３】
＜請求項１１記載の発明＞
本発明の反射体付支柱には、光反射体固定部が支柱等の全周にわたって凹み形成され、該光反射体固定部に前記光反射体を強固に係止固着して、多角形全周光反射面を形成することを特徴とするものも含まれる。
「多角形多角形全周光反射面」とは、支柱の適宜な位置の全周が、多角筒状の反射面を形成していることをいう。
【００１４】
＜請求項１２記載の発明＞
本発明の反射体付支柱は、前記光反射体固定部に、１または複数の所定の箇所に穿設された、填め込み孔や凸顎やネジ穴などからなるファスナー係止部を設け、該ファスナー係止部に、顎付き突起等からなる前記ファスナー突起部を填め込んで、抜けないように固定することを特徴とする。
すなわち、光反射体を支柱本体に固定するファスナー係止部とファスナー突起部は、さまざまな形状のものを含み、ワンタッチで係止できるものである。
【００１５】
＜請求項１３記載の発明＞
本発明は、前記支柱本体が円柱形状または多角柱形状であり、前記光反射体固定部が該円柱形状または多角柱形状支柱本体に形成された、多角形状面のうちの１または複数面に設けられ、該光反射体固定部に前記光反射体が固定していることを特徴とする。
すなわち支柱本体の断面が、円形状または多角形状であって、支柱本体の側面に形成された多角形状面に光反射体固定部が設けられているという意味である。
【００１６】
【発明の実施の形態】
本発明の実施の形態を図面を参照しながら説明する。
＜実施の形態１＞
図１は本発明の実施の形態１の車止めポールの上部を示す組立部分分解斜視図、図２は同じ実施の形態１の光反射体の正面図、図３は同じ実施の形態１の光反射体の背面図、図４は同じ実施の形態１の光反射体の正面図中央縦断面図、図５は同じ実施の形態１の光反射体の底面図、図６は同じ実施の形態１の光反射体のＡ−Ａ切断断面図、図７は同じ実施の形態１の光反射体と支柱本体との係止状態を示す部分断面図、図８は同じ実施の形態１の反射片の正面図、右側面図及び横断面図である。
車止めポール１は、中空円柱からなる支柱本体２と、多角形多角形全周光反射面３から構成されている。
支柱本体２は、上部に適宜な上下幅で円形に凹み形成された光反射体固定部４を設け、該光反射体固定部４の円周上四カ所に同一間隔で穿設された孔からなるファスナー填め込み孔５ａ、５ｂが上下同一線上に所定の間隔で設けられた構成となっている。そして、多角形全周光反射面３は光反射体固定部４を支柱本体２の円形線よりわずかに小径の円形に近い２４角形の正多角形で覆った構成となっている。
多角形全周光反射面３は、光反射体７が４ヶ並べられて円形に近い正２４角
形を形成してなっている。
【００１７】
光反射体７は、多角形全周光反射面３を構成する反射片１３が横６列、縦２列並設されて４分の１弧（２４角形を構成する９０度弧）からなる多角形状の弧反射面８と、該多角形状の弧反射面８の内側に設けられた表面が４分の１弧（２４角形を構成する９０度弧）からなるベース９と、該ベース９内側の中央に凸設された、先端が内側に押し込むことができ外側に顎１０を有していてファスナー填め込み孔５ａ、５ｂに挿入係止される顎付突起ファスナー１１ａ、１１ｂと、ベース９の両側部サイド側が内側に突設してなる突出部１２、１２を設け、ベース９と光反射体固定部４の間に隙間が形成される構成となっている。
多角形全周光反射面３は、反射片１３がその底部を全面ベース９に強力な接着剤により強固に貼着されてなっている。
アクリル樹脂製部材の反射片１３は裏面にプリズム凸凹１４が形成され、下部にＡＢＳ樹脂からなる底部板１５を強力に貼着した構成となっており、現在一般に最も安価に大量流通しているものである。
ベース９は、剛性のＡＢＳ樹脂部材からなっている。
光反射体固定部４に突出部１２が当たった状態において両者の間に適宜な隙間が形成されるようになっていて、光反射体７を押し反らして顎付突起ファスナー１１ａ、１１ｂをファスナー填め込み孔５ａ，５ｂに挿入係止する。突出部１２が光反射体固定部４に押しつけられ続けるようになっているので、光反射体７がガタつきなく強固に固定され続ける。
ベースは、例えばステンレス薄板部材を板金プレス加工してなるものなどもよい。
以下、実施の形態の説明における同じ構成については、先の実施の形態の符号を付しその説明を省略する。
【００１８】
＜実施の形態２＞
図９は本発明の実施の形態２の車止めポールの光反射体固定部の上部を切断した状態を示す横断面図である。
車止めポール２０は、車止めポール１の光反射体７を光反射体２１に変えたものである。
光反射体２１は７面を有する多角形弧で４つを合わせて、円形に近い２８角形の多角形全周光反射面２２を形成している。
反射片２３（ＭＭＡ＝アクリル樹脂）は、幅１２ｍｍ、底部板の長さ５０ｍｍ、反射部分の長さ４７ｍｍで、光反射体１６に横に７枚、縦に２列の計１４枚並設され、光反射体２１が４枚で略直径１０．６ｍｍ、高さ９７ｍｍの反射部１９（反射片５６枚）を形成する。
【００１９】
多角形全周光反射面２２の反射性能値は、下記記載のように、全てにおいて規格値を上回る全円周光反射面と遜色ない測定値結果を得ている。
（橙色）                        単位  ｃｄ／１０．７６１ｘ
入射角  ０度：観測角０．２度    測定値６７．０    規格値（２２．０）
入射角  ０度：観測角０．５度    測定値１８．３    規格値（１１．０）
入射角  ０度：観測角１．５度    測定値０．９７    規格値（０．３４）
入射角１０度：観測角０．２度    測定値５２．１    規格値（１８．０）
入射角１０度：観測角０．５度    測定値１５．３    規格値（９．０  ）
入射角１０度：観測角１．５度    測定値０．８５    規格値（０．２８）
入射角２０度：観測角０．２度    測定値３４．７    規格値（１３．０）
入射角２０度：観測角０．５度    測定値１２．８    規格値（６．０  ）
入射角２０度：観測角１．５度    測定値０．６０    規格値（０．２０）
【００２０】
＜実施の形態３＞
図１０は本発明の実施の形態３の反射片の横断面図、図１１は同じ実施の形態３の光反射体の横断面図である。
反射片２５は、側部が下方に向かって狭まるテーパー構造となっていて、底部板は設けられていない。
図１１に示すごとく、ベース９に並設した場合、反射片２５の上部同士が密着しても下部同士が当たらない（あるいは側部がぴったりと合う）ないので、全く隙間のない多角形状の弧反射面２６を有する光反射体２７を形成する。
これにより、全く隙間のない光反射面を形成できるので、より全円周光反射面の反射性能に近い優れた反射体を実現でき、隙間が全くないので、隙間に汚れが溜まるとか、隙間に物を入れたりなので悪戯を回避することができる。
また、ベースに接着剤を厚く塗布し反射片を加圧接着させることにより、接着剤が反射片同士の間に形成される隙間を埋めるので、反射片同士の側部同士が接着される。これにより、より強靱で悪戯に強いものにできる。
また、底部板がないのでより安価にできる。
【００２１】
＜実施の形態４＞
図１２は本発明の実施の形態４の反射体付支柱の部分組立分解斜視図である。
反射体付支柱３３は次ぎに述べるような構成となっている。
円柱本体３０の上方側部に湾曲形状に凹み形成された湾曲填め込み凹部３１が設けられている。
湾曲填め込み凹部３１に填め込まれる湾曲反射体３４は、湾曲ベース３２に反射片２５を横６枚縦２枚の合計１２枚を湾曲状に貼着並設して湾曲光反射面２９を形成してなっている。
支柱本体３０への取付は実施の形態１のものと同じなので説明を省略する。
湾曲光反射面が湾曲（円弧を含む）であればよいものであるので、填め込み凹部とベースは湾曲である必要はなく、多様な形状や仕組みがある。
【００２２】
＜実施の形態５＞
図１３は本発明の実施の形態５の反射体付支柱の組立分解斜視図である。
反射体付支柱５０は、中空四角柱からなる支柱本体５１と平板形状の光反射体５２から構成されている。
支柱本体５１の側部上方には、光反射体５２が殆ど隙間無く且つ出っ張り無く収まる反射体填め込み固定部５３が設けられ、中央にファスナー填め込み孔５４があけられている。
光反射体５２は、平板形状ＡＢＳ樹脂からなるベース５５の表面に反射片１３が横８列縦３列の計２４枚が強固に並設接着されて、光反射面５６を形成している。
ベース５５の裏面両サイドには、３カ所ずつ突起部５７が設けられ、裏側中央にはファスナー填め込み孔５４に填り込んで抜けないように係止される、顎５８を有する突起ファスナー５９を設けている。
＜実施の形態６＞
図１４は本発明の実施の形態６の光反射体の底面図である。
光反射体固定部４にベース９の裏面中央に設けられた突出部１２が当たった状態において、両者の間に適宜な隙間が形成されるようになっていて、光反射体７を押し曲げて顎付突起ファスナー１１ａをファスナー填め込み孔５ａに挿入係止する。突出部１２が光反射体固定部４に押しつけられ続けるようになっているので、光反射体７がガタつきなく強固に固定され続ける。
＜実施の形態７＞
図１５は、本発明の実施の形態７の光反射体を示す斜視図であり、円形状の光反射体であって、裏側中央には、ファスナー填め込み孔５４に填り込んで抜けないように係止される顎５８を有する突起ファスナー５９が設けられ、ベース５５の裏面縁部には、複数の突出部５７が設けられている。
＜実施の形態８＞
図１６は、本発明の実施の形態８の光反射体を示す斜視図であり、三角形状の光反射体であって、裏側中央には突出部５７が設けられ、ベース５５の３ヶ所の裏面角部には、ファスナー填め込み孔５４に填り込んで抜けないように係止される、顎５８を有する突起ファスナー５９が設けられている。
なお、実施の形態７，８はともに、突出部５７と突起ファスナー５９の高低差によって、光反射体５２が光反射体固定部５３に強固に固着されるように構成されている。
【００２３】
【発明の効果】
本発明は以上のような構成となっているので、次に述べるような効果を奏する。
＜請求項１記載の発明＞
裏面に多数のプリズム凸凹を形成してなる表面が略平坦な略四角形の反射片は、大量に生産され最も一般的に市場に出回っているものあるが、反射片を強靱なベースに強力に貼着し、さらにこのベースを支柱等の被取付体に強固に固着することにより、悪戯されても反射片や光反射体が剥がれることのない、優れた強度を有し且つ安価な光反射体はいまだ提供されていない。
本発明は、反射片を強力に貼着した強靭なベースの裏側にファスナー突起部を設け、ベースの裏側両サイドに支柱等と該ベース間に空間を形成するための突出部を設けた光反射体であり、上記の効果を奏することができる。
【００２４】
＜請求項２記載の発明＞
請求項１記載の発明を構成するベースの表面を湾曲形状とし、光反射面が多角形状の湾曲した弧反射面として形成されてなるものであるので、請求項１記載の発明の効果に加えて次ぎに述べるような効果を奏する。
反射片が多数枚並設されるので、必然的に湾曲した光反射面が形成される。この略湾曲した光反射面は、１枚で形成された滑らかな湾曲反射面とほぼ同じような反射性能を得ることができ、コスト高となる１枚形成の湾曲反射面の光反射体と殆ど同性能でありながら、安価な略湾曲した光反射体として提供できる。
【００２５】
＜請求項３記載の発明＞
請求項１又は２記載の発明を構成するベースの表面が、平坦な正多角形面で且つ反射片の底部全面が密着するように形成され、反射片を貼着した光反射面が、多角形全周光反射面の一部を構成する多角形状の弧反射面になっているので、光反射体はより強固に密着されるという効果を奏する。
請求項１、２又は３記載の発明は、次ぎに述べるような効果を奏する。
最も安価に提供されている反射板を、円形に近い正多角形を形成するように並設して多角形全周光反射面を形成することにより、高価な全円周光反射面のものと遜色ない反射性能の光反射体を可能とした。製造も簡単で製造コストが安価、部材も安価であり、これにより多様な径の反射性能の優れた全周光反射体を有する車止め等を安価に提供することができる。
実施の形態２においては、最も安価に提供されている一般的な１２ｍｍ幅、長さ４７ｍｍの長方形反射板を２８枚並設した円形に近い２８角形の多角形全周光反射面の、反射性能において、規格値を全ての入射角：観測角の測定値において、大きく上回る反射光量を実現し且つ小さい観測角において常に十分な反射光量を保持するという、全円周光反射面のものと遜色ない優れた性能を実現している。
【００２６】
＜請求項４記載の発明＞
請求項１、２又は３記載の発明を構成するベースの裏側に設けたファスナー突起部と突出部により、前記支柱等への前記ベースの固定が、該ベースがわずかに該支柱側に反り気味に固定されて、該突出部が該支柱等に押しつけられるようにしたものであるので、請求項１、２又は３記載の発明の効果に加えて、次ぎに述べるような効果を奏する。
ベースが反発状態で支柱側に固定されるので、固定状態が強靱でガタツキが生じたりすることがなく、棒などで剥がしとることが容易にはできないものとなる。
同時に、支柱とベースとの間に空間が形成されているので、金槌で叩き壊すことが容易に行える。これにより、破損した光反射体は叩き壊して除き、新しい光反射体を押し込むワンタッチ操作で交換が簡単に行える。ここでは、取り外すための金槌などの撃ち砕き具（石でもよい）以外の特別な道具や接着剤などを必要としない。
また、衝撃があっても空間によりベースがしなって衝撃緩衝機能をはたすので、衝撃に強い光反射体を実現する。
【００２７】
＜請求項５記載の発明＞
請求項４記載の発明を構成する突起部と突出部を、１または複数箇所に設けられた突起形状としたものであるので、請求項４記載の効果に加えて、広い用途に使用可能な光反射体を実現している。
また、この反面、ベースの裏側サイドの補強部分でもある突出部分が一部分となるので、より叩き壊しやすい光反射体を実現している。さらに、ベースの両サイドも空間が多く形成されているので、光反射体のサイド部分に衝撃が加わってもサイド部分もしなり、サイド側の反射片への衝撃をも緩和し、より衝撃緩衝性に優れた光反射体を実現している。
【００２８】
＜請求項６、７記載の発明＞
ファスナー突起部および突出部の位置を、ベース裏面の中央部または左右両端部のいずれにでも設け得ることとしたので、より広い用途に使用できる光反射体を実現した。
＜請求項８記載の発明＞
請求項１、２、３、４、５、６又は７記載の発明を構成するベースが、硬質合成樹脂製部材であるので、上記の効果に加えて、安価で、性能が良く、大量に生産でき、しかも破壊して取り除きやすいという効果を奏する。
【００２９】
＜請求項９記載の発明＞
請求項１、２、３、４、５、６又は７記載の発明のベースが、ゴム製部材や高弾性合成樹製部材等の弾性部材からなることを特徴としているので、上記効果に加えて、より衝撃緩衝性に優れたものとできる。
【００３０】
＜請求項１０記載の発明＞
最も安価に提供されている反射片を並設して、多角形状の弧光反射面を形成することにより、高価な全円周光反射面のものと遜色ない反射性能を有する光反射体を、適宜な上下幅、左右幅をもって固着した支柱を実現した。性能的にも優れており、製造も簡単で製造コストが安価であり、さまざまな用途に適応できる。
【００３１】
＜請求項１１記載の発明＞
請求項１０記載の発明の反射体固定部が、全周にわたって凹み形成され、最も安価に提供されている一般的な１２ｍｍ幅、長さ４７ｍｍの長方形の反射板を、２８枚並設した円形に近い２８角形の多角形全周光反射面は、反射性能において、規格値を全ての入射角：観測角の測定値において大きく上回る反射光量を実現し、且つ小さい観測角において常に十分な反射光量を保持するという、全円周光反射面のものと遜色ない優れた性能を実現している。
【００３２】
＜請求項１２記載の発明＞
前記ファスナー突起部、及び該突起部を填め込むファスナー係止部の形状が、ワンタッチ操作で交換が簡単に行えるものであり、取り外すための金槌などの撃ち砕き具（石でもよい）以外の特別な道具や接着剤などを必要としないという効果を奏する。
【００３３】
＜請求項１１記載の発明＞
支柱が円柱形状、多角柱形状であるので、設置する場所に最適の反射体付支柱を提供できる。
【図面の簡単な説明】
【図１】本発明の実施の形態１の車止めポールの上部を示す組立部分分解斜視図。
【図２】本発明の実施の形態１の光反射体の正面図。
【図３】本発明の実施の形態１の光反射体の背面図。
【図４】本発明の実施の形態１の光反射体の正面図中央縦断面図。
【図５】本発明の実施の形態１の光反射体の底面図。
【図６】本発明の実施の形態１の光反射体のＡ−Ａ切断断面図。
【図７】本発明の実施の形態１の光反射体と支柱本体との係止状態を示す部分断面図。
【図８】本発明の実施の形態１の反射片の正面図、右側面図及び横断面図。
【図９】本発明の実施の形態２の車止めポールの光反射体固定部の上部を切断した状態を示す横断面図。
【図１０】本発明の実施の形態３の反射片の横断面図。
【図１１】本発明の実施の形態３の光反射体の横断面図。
【図１２】本発明の実施の形態４の反射体付支柱の部分組立分解斜視図。
【図１３】本発明の実施の形態７を示す反射体付支柱の組立分解斜視図。
【図１４】本発明の実施の形態６の光反射体の底面図。
【図１５】本発明の実施の形態７の光反射体を示す斜視図
【図１６】本発明の実施の形態８の光反射体を示す斜視図
【符号の説明】
１・・・・・車止めポール
２・・・・・支柱本体
３・・・・・多角形全周光反射面
４・・・・・光反射体固定部
５ａ・・・・ファスナー填め込み孔
５ｂ・・・・ファスナー填め込み孔
７・・・・・光反射体
８・・・・・多角形状の弧反射面
９・・・・・ベース
１０・・・・・顎
１１ａ・・・・顎付突起ファスナー
１１ｂ・・・・顎付突起ファスナー
１２・・・・・突出部
１３・・・・・反射片
１４・・・・・プリズム凸凹
１５・・・・・底部板
２０・・・・・車止めポール
２１・・・・・光反射体
２２・・・・・多角形全周光反射面
２３・・・・・反射片
２４・・・・・ベース
２５・・・・・反射片
２６・・・・・多角形状の弧反射面
２７・・・・・光反射体
２８・・・・・反射体付支柱
２９・・・・・湾曲光反射面
３０・・・・・円柱本体
３１・・・・・湾曲填め込み凹部
３２・・・・・湾曲ベース
３３・・・・・反射体付支柱
５０・・・・・反射体付支柱
５１・・・・・支柱本体
５２・・・・・光反射体
５３・・・・・反射体填め込み固定部
５４・・・・・ファスナー填め込み孔
５５・・・・・ベース
５６・・・・・光反射面
５７・・・・・突出部
５８・・・・・顎
５９・・・・・突起ファスナー
【図１】
0003859380.tif 000002
【図２】
0003859380.tif 000003
【図３】
0003859380.tif 000004
【図４】
0003859380.tif 000005
【図５】
0003859380.tif 000006
【図６】
0003859380.tif 000007
【図７】
0003859380.tif 000008
【図８】
0003859380.tif 000009
【図９】
0003859380.tif 000010
【図１０】
0003859380.tif 000011
【図１１】
0003859380.tif 000012
【図１２】
0003859380.tif 000013
【図１３】
0003859380.tif 000014
【図１４】
0003859380.tif 000015
【図１５】
0003859380.tif 000016
【図１６】
0003859380.tif 000017